(57)【要約】【課題】  ケーブルのコネクタ挿抜時の作業性を向上することが可能な電子機器および表示装置を提供する。【解決手段】  電子機器の一例である表示装置１００、複数の接続端子１０７ａ，１０７ｂを含む第１接続端子群１０５と、複数の接続端子１０８ａ，１０８ｂを含む第２接続端子群１０６を備える。第１接続端子群１０５の長手方向と、第２接続端子群１０６の長手方向とは、略平行であり、第１接続端子群１０５の長手方向に重ならない位置に、第２接続端子群１０６が配置される。また、第１接続端子群の各接続端子と、第２接続端子群の各接続端子とは、第１接続端子群の短手方向（または第２接続端子群の短手方向）に重ならない位置に配置される。【選択図】  図３
2015023195.tif 000002
【特許請求の範囲】
【請求項１】
外部機器と接続可能な複数の接続端子を備えた電子機器であって、
それぞれ複数の接続端子を含む第１接続端子群および第２接続端子群を備え、
前記第１接続端子群の長手方向と、前記第２接続端子群の長手方向とは、略平行であり、
前記第１接続端子群の長手方向に重ならない位置に、前記第２接続端子群が配置され、かつ、前記第１接続端子群の各接続端子と、前記第２接続端子群の各接続端子とは、前記第１接続端子群の短手方向に重ならない位置に配置されることを特徴とする電子機器。
【請求項２】
前記第１接続端子群の短手方向に隣接する位置に、前記第２接続端子群が配置されることを特徴とする請求項１に記載の電子機器。
【請求項３】
各接続端子の幅をＷとした場合、
各接続端子の中心間の距離はＷ＋α、かつ、
Ｗ×１／４≦α≦Ｗ×１／２、であることを特徴とする請求項１または請求項２に記載の電子機器。
【請求項４】
前記第１接続端子群が配置される端子面と、前記第２接続端子群が配置される端子面は、同一平面上にないことを特徴とする請求項１から請求項３までのいずれか１項に記載の電子機器。
【請求項５】
各接続端子の高さをＫとした場合、
前記第１接続端子群が配置される端子面と、前記第２接続端子群が配置される端子面との距離Ｌは、Ｌ≧Ｋ×１／２であることを特徴とする請求項４に記載の電子機器。
【請求項６】
各接続端子は、ネジ止めするためのロック機構を有することを特徴とする請求項１から請求項５までのいずれか１項に記載の電子機器。
【請求項７】
請求項１から請求項６までのいずれか１項に記載の電子機器は、表示パネルを備えた表示装置であって、
前記第１接続端子群が配置される端子面と、前記第２接続端子群が配置される端子面は、前記表示パネルに垂直な面に配置されることを特徴とする表示装置。
【請求項８】
各接続端子の位置と、各接続端子から入力される画像が画面に表示される位置との関係が対応していることを特徴とする請求項７に記載の表示装置。
【発明の詳細な説明】
【技術分野】
【０００１】
本発明は、外部機器と接続可能な複数の接続端子を備えた電子機器および表示装置に関する。
【背景技術】
【０００２】
近年、ＨＤ（Ｈｉｇｈ  Ｄｅｆｉｎｉｔｉｏｎ）の約４倍の解像度（画素数）を有する高精細なＵＨＤ（Ｕｌｔｒａ  Ｈｉｇｈ  Ｄｅｆｉｎｉｔｉｏｎ）表示装置が開発されている。このような高精細な表示装置に４本のケーブルを用いて４つのＨＤ映像信号を入力し、４つのＨＤ映像信号を同時に表示する表示モードに対応する場合、多くの接続端子を表示装置に設ける必要がある。また、画像の編集作業に使用される表示装置は、各種入力機器や出力機器に対応するため、さらに多くの接続端子が必要となる。
【０００３】
特許文献１には、薄型表示装置の背面の外周近傍に、該薄型表示装置の外周に向かう方向をケーブルのコネクタ挿抜方向とする外部入出力端子を配置した構造が開示されている。
【先行技術文献】
【特許文献】
【０００４】
【特許文献１】特開２００５−３５４６３６号公報
【発明の概要】
【発明が解決しようとする課題】
【０００５】
しかしながら、多くの接続端子を表示装置に設ける場合、接続端子間の間隔が短いと、ケーブルのコネクタ挿抜時の作業性が良くないという課題があった。また、多くの接続端子にケーブルが接続された状態では、多くのケーブルやコネクタによって接続端子が見えにくくなり、作業性が良くないという課題があった。
【０００６】
そこで、本発明は、ケーブルのコネクタ挿抜時の作業性を向上することが可能な電子機器および表示装置を提供することを目的とする。
【課題を解決するための手段】
【０００７】
上述した課題を解決するために、本発明の一実施形態に係る電子機器は、外部機器と接続可能な複数の接続端子を備えた電子機器であって、それぞれ複数の接続端子を含む第１接続端子群および第２接続端子群を備える。そして、第１接続端子群の長手方向と、第２接続端子群の長手方向とは、略平行であり、第１接続端子群の長手方向に重ならない位置に、第２接続端子群が配置され、かつ、第１接続端子群の各接続端子と、第２接続端子群の各接続端子とは、第１接続端子群の短手方向に重ならない位置に配置される。
【発明の効果】
【０００８】
本発明によれば、ケーブルのコネクタ挿抜時の作業性を向上させることが可能となる。
【図面の簡単な説明】
【０００９】
【図１】実施の形態１に係る表示装置の外観図である。
【図２】図１に示した接続端子群の配置構成を詳細に示す図である。
【図３】図２に示した接続端子群の構造を説明するための断面図である。
【図４】実施の形態１に係る表示画面例を示す図である。
【図５】実施の形態２に係る表示装置の背面斜視図である。
【図６】実施の形態２に係る表示画面例を示す図である。
【図７】実施の形態３に係る表示装置の側面図である。
【図８】実施の形態３に係る表示画面例を示す図である。
【発明を実施するための形態】
【００１０】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形（各実施形態の有機的な組合せを含む）が可能であり、それらを本発明の範囲から除外するものではない。即ち、各実施形態及びその変形例を組み合わせた構成も全て本発明に含まれるものである。
【００１１】
以下の実施の形態では、表示装置として、液晶表示装置を例に挙げて説明するが、有機ＥＬ（Ｅｌｅｃｔｒｏ  Ｌｕｍｉｎｅｓｃｅｎｃｅ）表示装置などの他の表示装置にも適用可能である。また、外部機器と接続可能な複数の接続端子を有するレコーダや編集機などの電子機器に適用可能である。
【００１２】
（実施の形態１）
図１は、実施の形態１に係る表示装置１００の外観図である。図１（Ａ）は、表示装置１００の正面図であり、図１（Ｂ）は、表示装置１００の背面斜視図である。表示装置１００は、表示部１８０とスタンド部１９０とで構成される。
【００１３】
表示部１８０は、外装筐体を構成する前面側のフロントベゼル１０１と背面側のリアカバー１０２を備える。フロントベゼル１０１は、高いデザイン性を有する樹脂成型された外装部材であって、例えばアルミニウムや鋼材の金属を用いて形成される。フロントベゼル１０１の中央には大きな開口部が設けられ、その開口部に表示パネル１２０が配置されている。表示パネル１２０の背面側には、図示しないバックライトユニットや各種回路基板が配置され、それらはリアカバー１０２で覆われている。また、フロントベゼル１０１の下部には、電源ボタン、輝度・色域・コントラストなどの調整をするためのメニューボタン、入力切替ボタンなどの操作ボタン１０３が配置されている。リアカバー１０２の中央下部の底面側の端子面１０２ａには、表示装置１００と外部機器とをケーブルで接続可能な複数の接続端子からなる接続端子群１０４が配置されている。端子面１０２ａは、表示パネル１２０に垂直な面である。
【００１４】
スタンド部１９０は、表示部１８０を支持する柱部１９１と、平面に設置するための設置台１９２を備える。柱部１９１と設置台１９２は、スタンド部１９０の外装部材である。
【００１５】
図２は、接続端子群１０４の配置構成を詳細に示す図である。本実施の形態では、接続端子としてＤＶＩ（Ｄｉｇｉｔａｌ  Ｖｉｓｕａｌ  Ｉｎｔｅｒｆａｃｅ）端子を例示するが、他の接続端子を用いてもよい。例えば、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子、ＳＤＩ（Ｓｅｒｉａｌ  Ｄｉｇｉｔａｌ  Ｉｎｔｅｒｆａｃｅ）端子、ＵＳＢ（Ｕｎｉｖｅｒｓａｌ  Ｓｅｒｉａｌ  Ｂｕｓ）端子などを用いてもよい。また、外部機器と接続可能な複数種類の接続端子が混在して接続端子群１０４を構成してもよい。
【００１６】
接続端子群１０４は、第１接続端子群１０５と、第１接続端子群１０５の上側に設けられた第２接続端子群１０６を含む。第１接続端子群１０５は、接続端子１０７ａ，１０７ｂを含む。第２接続端子群１０６は、接続端子１０８ａ，１０８ｂを含む。第１接続端子群の長手方向と、第２接続端子群の長手方向とは略平行であり、第１接続端子群の短手方向と、第２接続端子群の短手方向とは、略平行である。そして、第１接続端子群の長手方向に重ならない位置に、第２接続端子群が配置される。具体的には、接続端子１０７ａ，１０７ｂと接続端子１０８ａ，１０８ｂとが、第１接続端子群の長手方向（または第２接続端子群の長手方向）に重ならない位置に配置される。また、また、第１接続端子群の短手方向に隣接する位置に、第２接続端子群が配置される。
【００１７】
第２接続端子群１０６は、第１接続端子群１０５よりも左方向に少しずれた位置に配置される。表示装置１００に設けられる各接続端子は、ケーブルのコネクタをネジ止めして固定するためのロック機構を有する。作業者がケーブルのコネクタ挿抜作業がしやすいように、第２接続端子群１０６は、第１接続端子群１０５に対して、接続端子の横幅Ｗよりも長い距離Ｗ＋αだけ左方向にずらした位置に配置される。具体的には、接続端子１０８ａの中心は、接続端子１０７ａの中心よりもＷ＋αだけ左方向にずらした位置に配置され、接続端子１０８ｂの中心は、接続端子１０７ｂの中心よりもＷ＋αだけ左方向にずらした位置に配置される。このように、各接続端子の中心間の距離がＷ＋αとなるように配置される。
【００１８】
言い換えると、第１接続端子群の各接続端子と、第２接続端子群の各接続端子とは、第１接続端子群の短手方向（または第２接続端子群の短手方向）に重ならない位置に配置される。より具体的には、接続端子１０７ａと接続端子１０８ａとが、第１接続端子群の短手方向（または第２接続端子群の短手方向）に重ならない位置に配置される。また、接続端子１０７ｂと接続端子１０８ｂとが、第１接続端子群の短手方向（または第２接続端子群の短手方向）に重ならない位置に配置される。
【００１９】
接続端子１０７ａと接続端子１０８ａとの間隔は、人の指１本分の幅よりも長い距離であることが好ましい。しかし、接続端子１０７ａと接続端子１０８ａとの間隔が長すぎると、端子面のスペースを無駄に使うことになるし、ケーブル接続の作業性が低下する。そこで、Ｗとαの関係は、例えば、α＝Ｗ×１／４〜Ｗ×１／２とする。ただし、Ｗとαの関係は、接続端子の種類や形状に応じて適宜決定される。
【００２０】
図３は、接続端子群１０４の構造を説明するための断面図である。第１接続端子群１０５は、映像信号の画像処理等を行う信号処理回路が搭載される信号処理基板１０９上に実装される。第１接続端子群１０５の接続端子１０７ａ，１０７ｂは、信号処理基板１０９上の信号処理回路と内部接続ケーブル（またはコネクタ）で接続される。信号処理基板１０９は、シャーシ１１１の背面に取付金具で固定される。シャーシ１１１は、表示モジュール１１３を背面側から固定する。表示モジュール１１３は、表示パネル１２０とバックライトユニットを含む。シャーシ１１１は、導電性金属であるアルミニウム又は鋼材の板金で形成され、電気回路的にはグランドとして機能する。
【００２１】
第２接続端子群１０６は、接続端子基板１１０上に実装される。第２接続端子群１０６の接続端子１０８ａ，１０８ｂは、信号処理基板１０９上の信号処理回路と内部接続ケーブル（またはコネクタ）で接続される。接続端子基板１１０は、信号処理基板１０９より背面側に配置された取付板１１２に固定される。取付板１１２は、複数の固定部材１１４を介してシャーシ１１１に固定される。リアカバー１０２は、シャーシ１１１および取付板１１２に固定される。
【００２２】
シャーシ１１１と接続端子基板１１０との間隔をＨ１とすると、取付板１１２とスタンド部１９０の柱部１９１との間隔はＨ１＋αの寸法で構成される。このαは、作業者によるケーブルのコネクタ挿抜の作業性を考慮した寸法とする必要があり、例えば、５ｍｍ以上であることが好ましい。
【００２３】
以上のように、この実施の形態１では、第１接続端子群の長手方向と、第２接続端子群の長手方向とは、略平行であり、第１接続端子群の長手方向に重ならない位置に、第２接続端子群が配置される。そして、第１接続端子群の各接続端子と、第２接続端子群の各接続端子は、第１接続端子群の短手方向に重ならない位置に配置されるようにした。したがって、接続端子間の間隔に余裕があるため、ケーブルのコネクタ挿抜時の作業性が向上する。また、接続端子にケーブルが接続された状態でも接続端子が見えやすくなるため、ケーブルのコネクタ挿抜時の作業性が向上する。特に、ＤＶＩコネクタなどのネジ止めするロック機構を有するコネクタの場合、ネジ部を２本以上の指でつまんで作業するスペースの余裕ができ、作業者がケーブルのコネクタ挿抜作業がしやすくなる。
【００２４】
また、高精細な表示装置に４本のケーブルを用いて４つのＨＤ映像信号を入力し、４つのＨＤ映像信号を画面に同時に表示する表示モードを有する場合、どの接続端子にコネクタを挿入すれば画面のどの位置に画像が表示されるかが決まっている場合が多い。このため、複数の接続端子から入力される複数の映像信号を画面に同時に表示する表示モードを有する場合、複数の接続端子の位置と画面に表示される画像の位置との対応関係が分かりやすい方が良い。
【００２５】
図４は、表示パネル１２０の画面に表示される画像を、表示パネル１２０の正面から見た表示画面例を示す図である。右下の画像１０７Ａと、左下の画像１０７Ｂと、右上の画像１０８Ａと、左上の画像１０８Ｂの合計４つのＨＤ画像で、１つのＵＨＤ画像を構成している。図２のように表示装置１００の底面側から端子面１０２ａを見た場合、端子面１０２ａの接続端子１０７ａ，１０７ｂ，１０８ａ，１０８ｂの配置関係と、画面に表示される画像１０７Ａ，１０７Ｂ，１０８Ａ，１０８Ｂの配置関係とが対応している方が良い。このため、表示装置１００を底面側の端子面１０２ａから見た右下の接続端子１０７ａから入力される画像と、画面の右下の画像１０７Ａとが対応するようにしている。そして、表示装置１００を底面側の端子面１０２ａから見た左下の接続端子１０７ｂから入力される画像と、画面の左下の画像１０７Ｂとが対応するようにしている。また、表示装置１００を底面側の端子面１０２ａから見た右上の接続端子１０８ａから入力される画像と、画面の右上の画像１０８Ａとが対応するようにしている。そして、表示装置１００を底面側の端子面１０２ａから見た左上の接続端子１０８ｂから入力される画像と、画面の左上の画像１０８Ｂとが対応するようにしている。
【００２６】
このため、複数の接続端子から入力される複数の映像信号を画面に同時に表示する表示モードを有する場合、表示装置２００の底面側からケーブルの接続作業をする作業者にとって、複数の接続端子の位置と画面に表示される画像の位置との対応関係が分かりやすくなる。具体的には、作業者がケーブルを接続端子に接続する際に、どの接続端子にコネクタを挿入すれば画面のどの位置に画像が表示されるかが直感的に分かりやすくなり、誤った位置の接続端子にコネクタを挿入する可能性を低減することができる。なお、画面を４分割した図を端子面に印刷し、どの接続端子にコネクタを挿入すれば画面のどの位置に画像が表示されるかをさらに分かりやすくしてもよい。
【００２７】
（実施の形態２）
図５は、実施の形態２に係る表示装置２００の背面斜視図である。実施の形態１と同様の内容については、説明を省略する。図５は、表示装置２００の側面の４つの接続端子に３つのＤＶＩコネクタが接続された状態を示している。
【００２８】
表示装置２００の背面側に設けられたリアカバー２０２の中央右部の端子面２０２ａには、表示装置２００と外部機器とをケーブルで接続するための複数の接続端子２０７ａ，２０７ｂを含む第１接続端子群２０５が配置されている。また、リアカバー２０２の中央右部の端子面２０２ｂには、表示装置２００と外部機器とをケーブルで接続するための複数の接続端子２０８ａ，２０８ｂを含む第２接続端子群２０６が配置されている。第１接続端子群２０５と第２接続端子群２０６は、接続端子群２０４を構成する。端子面２０２ａ，２０２ｂは、表示パネルに垂直な面である。
【００２９】
第１接続端子群２０５が配置される端子面２０２ａと、第２接続端子群２０６が配置される端子面２０２ｂは、同一平面上にはなく、所定のオフセット量Ｌだけずれた位置に配置されている。ケーブルのコネクタの高さをＫとすると、オフセット量（端子面２０２ａと端子面２０２ｂとの距離）Ｌ≧Ｋ×１／２とする。
【００３０】
この実施の形態２では、ケーブルのコネクタの高さの半分以上をオフセットさせることで、ケーブルのコネクタ挿抜時の作業性がさらに向上する。また、接続端子にケーブルが接続された状態でも接続端子が見えやすくなるため、ケーブルのコネクタ挿抜時の作業性がさらに向上する。特に、ＤＶＩコネクタなどのネジ止めするロック機構を有するコネクタの場合、ネジ部を２本以上の指でつまんで作業するスペースの余裕ができ、作業者がケーブルのコネクタ挿抜作業がしやすくなる。
【００３１】
なお、オフセット量Ｌとケーブルのコネクタの高さＫとの関係は、例えば、Ｌ≧Ｋ×１／３や、Ｌ≧Ｋ×１／４であってもよく、接続端子の種類や形状に応じて適宜決定される。
【００３２】
図６は、表示パネルの画面に表示される画像を、表示パネルの正面から見た表示画面例を示す図である。左上の画像２０７Ａと、左下の画像２０７Ｂと、右上の画像２０８Ａと、右下の画像２０８Ｂの合計４つのＨＤ画像で、１つのＵＨＤ画像を構成している。図５のように表示装置２００を背面側から見た場合、画面に表示される画像と左右の対応関係が逆になる。このため、表示装置２００を背面側から見た右上の接続端子２０７ａから入力される画像と、画面の左上の画像２０７Ａとが対応するようにしている。そして、表示装置２００を背面側から見た右下の接続端子２０７ｂから入力される画像と、画面の左下の画像２０７Ｂとが対応するようにしている。また、表示装置２００を背面側から見た左上の接続端子２０８ａから入力される画像と、画面の右上の画像２０８Ａとが対応するようにしている。そして、表示装置２００を背面側から見た左下の接続端子２０８ｂから入力される画像と、画面の右下の画像２０８Ｂとが対応するようにしている。
【００３３】
したがって、この実施の形態２では、複数の接続端子から入力される複数の映像信号を画面に同時に表示する表示モードを有する場合、表示装置２００の背面側からケーブルの接続作業をする作業者にとって、複数の接続端子の位置と画面に表示される画像の位置との対応関係が分かりやすくなる。
【００３４】
（実施の形態３）
図７は、実施の形態３に係る表示装置３００の側面図である。実施の形態１と同様の内容については、説明を省略する。
【００３５】
表示装置３００の側面の端子面３０２ａには、表示装置３００と外部機器とをケーブルで接続するための複数の接続端子３０７ａ，３０７ｂを含む第１接続端子群３０５が配置されている。また、端子面３０２ｂには、表示装置３００と外部機器とをケーブルで接続するための複数の接続端子３０８ａ，３０８ｂを含む第２接続端子群３０６が配置されている。第１接続端子群３０５と第２接続端子群３０６は、接続端子群３０４を構成する。端子面３０２ａ，３０２ｂは、表示パネルに垂直な面である。
【００３６】
図８は、表示パネルの画面に表示される画像を、表示パネルの正面から見た表示画面例を示す図である。右上の画像３０７Ａと、右下の画像３０７Ｂと、左上の画像３０８Ａと、左下の画像３０８Ｂの合計４つのＨＤ画像で、１つのＵＨＤ画像を構成している。図７のように表示装置３００を側面側から見た場合、端子面３０２ａ，３０２ｂの接続端子３０７ａ，３０７ｂ，３０８ａ，３０８ｂの配置関係と、画面に表示される画像３０７Ａ，３０７Ｂ，３０８Ａ，３０８Ｂの配置関係とが対応している方が良い。このため、表示装置３００を側面から見た右上の接続端子３０７ａから入力される画像と、画面の右上の画像３０７Ａとが対応するようにしている。そして、表示装置３００を側面側から見た右下の接続端子３０７ｂから入力される画像と、画面の右下の画像３０７Ｂとが対応するようにしている。また、表示装置３００を側面側から見た左上の接続端子３０８ａから入力される画像と、画面の左上の画像３０８Ａとが対応するようにしている。そして、表示装置３００を側面側から見た左下の接続端子３０８ｂから入力される画像と、画面の左下の画像３０８Ｂとが対応するようにしている。
【００３７】
したがって、この実施の形態３では、複数の接続端子から入力される複数の映像信号を画面に同時に表示する表示モードを有する場合、表示装置２００の側面側からケーブルの接続作業をする作業者にとって、複数の接続端子の位置と画面に表示される画像の位置との対応関係が分かりやすくなる。
【符号の説明】
【００３８】
１００  表示装置
１０２ａ  端子面
１０４  接続端子群
１０５  第１接続端子群
１０６  第２接続端子群
１０７ａ，１０７ｂ，１０８ａ，１０８ｂ  接続端子
【図１】
2015023195.tif 000003
【図２】
2015023195.tif 000004
【図３】
2015023195.tif 000005
【図４】
2015023195.tif 000006
【図５】
2015023195.tif 000007
【図６】
2015023195.tif 000008
【図７】
2015023195.tif 000009
【図８】
2015023195.tif 000010